(57)【要約】【課題】ルアーの色や模様を簡単に取り替えられるルアーを提供する。【解決手段】釣り糸取り付けリングと、釣り針取り付けリングを有する中央部材と、側面部財に、それぞれ着脱機構を設ける。さらに、中央部材に側面部財を両側に取り付けた状態で、中央部材及び両側面部材にまたがるように連続して溝を設ける。又該溝に嵌る形状維持ストッパーを設けたことを特徴とする。【選択図】　図１
2004135645.tif 000002
【特許請求の範囲】
【請求項１】
釣り糸取り付けリングと、釣り針取り付けリングを有する中央部材と、中央部材の左右側面に、それぞれ着脱機構を介して取り付けられる側面部材により構成され、両側面を取り付けた状態で、任意のルアー形状を形成することを特徴とする側面取替え式ルアー。
【請求項２】
両側面を取り付けた状態で、中央部材及び両側面部材にまたがるように連続して形成される溝と、該溝に嵌る形状維持用ストッパーを設けたことを特徴とする請求項１記載の側面取替え式ルアー。
【請求項３】
取替え用側面部材を具備するとともに、中央部材及び各側面部材は、取り付けた状態で任意の色彩および形状となるものであることを特徴とする請求項１又は、２記載の側面取替え式ルアー。
【発明の詳細な説明】
【０００１】
【発明の属する技術分野】
この発明は、ルアーの色や模様を、左右側面部材の交換により簡単に取り替えられるようにするための、側面取替え式ルアーに関するものである。
【０００２】
【従来の技術】
従来、ルアーは一体形成された物であるため、色や模様を変えるためには、色や模様の違うものを複数用意する必要があり、ルアーを変えるたびに、釣り糸を付け替えなければならなかった。又ルアーと同じ数の釣り針が必要であった。又リップ部を取り替えられる着脱式のルアーがあり、長さの違う２種類のリップ部とルアー本体とからなり、リップ部を交換することによりルアーの沈む深さを変えられるルアーがあった。
【０００３】
【特許文献１】
特開平９−５６２９６号公報
【０００４】
【発明が解決しようとする課題】
これは次のような欠点があった。
（イ）同じ形のルアーで色や模様のちがうものを買わなければならなかった。
（ロ）ルアーと同じ数の釣り針が必要であった。
（ハ）色や模様の違うものを一つ一つそろえると、個数が増えるため持ち運ぶのが大変だった。
（ニ）ルアーを取り替えるたびに釣り糸を切ったり、結びなおしたり手間がかかっていた。
本発明は、これらの欠点を除くためになされたものである。
【０００５】
【課題を解決するための手段】
釣り糸取り付けリングと、釣り針取り付けリングを有する中央部材と、側面部材に、それぞれ着脱機構を設ける。さらに、中央部材に側面部材を両側に取り付けた状態で、中央部材及び両側面部材にまたがるように連続して溝を設ける。又該溝に嵌る形状維持ストッパーを設ける。
本発明は、以上のような構成よりなる側面取り替え式ルアーである。
【０００６】
【発明の実施の形態】
以下、本発明の実施例について説明する。
（イ）　合成樹脂を主体とした、本体（１）の両側面中央に前方から後方に向けて長方形状のずれ防止突起受け溝（３）を設け、その後方に連続して溝の、側面部（２）に接触する側を底面より狭くした台形状のずれ防止突起固定溝（４）をもうける。
（ロ）　側面部（２）の本体（１）に接触する側の中央に、ずれ防止突起固定溝（４）に嵌る突起の付け根部分より先端部分が広い台形状のずれ防止突起（５）を設ける。
（ハ）　本体（１）に側面部（２）を両側に取り付けた状態で、本体（１）の先端と、ずれ防止突起受け溝（３）の中間にあたる位置に半円形状の開き止めゴム受け溝（６）を、本体（１）と側面部（２）の両側に、またがるように連続して設ける。
（ニ）　本体（１）と側面部（２）の、開き止めゴム受け溝（６）に嵌るリング状の開き止めゴムリング（７）を設ける。
（ホ）　側面部（２）の色や模様の違うものを複数設ける。
本発明は以上のような構造で、これを使用するときは、開き止めゴムリング（６）の輪の中に釣り糸を通してから本体（１）の釣り糸取り付けリングに釣り糸を結び、任意の色、または模様の側面部（２）の内側に設けたずれ防止突起（５）を、本体（１）の側面に設けたずれ防止突起受け溝（３）に嵌め込み、本体（１）と側面部（２）を密着させながら側面部（２）を前方から後方に向けスライドさせて、側面部（２）の、ずれ防止突起（５）が本体（１）の、ずれ防止突起固定溝（４）に完全に嵌るまでスライドさせる。以上の要領で、本体（１）の両側に側面部（２）を取り付けたら、先に釣り糸に通しておいた開き止めゴムリング（７）を、本体（１）と側面部（２）の前方に設けられた、開き止めゴム受け溝（６）に嵌め込んで、本体（１）と側面部（２）が分離しないように固定する。
【第２実施の形態】
図７に示すように、本体（１）の両側面に、市販されている球形状の鉛製のおもり（９）を、嵌める円筒形状のおもり嵌め込み穴（８）を複数設け、おもり（９）を嵌めることにより、ルアーの重さを換えることができる。又、複数設けたおもり嵌め込み穴（８）に前後左右ばらばらに、おもりを嵌め、意図的にルアーのバランスを崩すことにより、ルアーの動きに変化を与えることができる。
【第３実施の形態】
本体（１）および側面部（２）の材質を鉛などの金属で形成することにより、メタルジグとして使用することもできる。又、本体（１）および側面部（２）の材質を合成樹脂などに換え、本体（１）を金属とし、側面部（２）を合成樹脂または本体（１）を合成樹脂、側面部（２）を金属とした、いろんな組み合わせにすることにより全体の重さを換えることができる。
【０００７】
【発明の効果】
ルアーの側面を取り替えられる機構を設けたことにより、ルアーの色や模様を、釣り糸を付け替えることなく、簡単に替えることができる。又、左右それぞれちがう色や模様にすることも可能になったことにより、いままでにない色や模様のルアーができるため、その日の天候や水のにごり具合などの状況に合わせた釣りを楽しむことができる。さらに、本体側に釣り針を付ける構造になっているため、色や模様の違うものに替えるときでも、釣り針が本体側にあるため、釣り針を多数用意する必要もなくなった。
【図面の簡単な説明】
【図１】本発明の分離斜視図である。
【図２】本発明の実施例を示す平面図である。
【図３】本発明の本体のずれ防止突起受け溝に、側面部のずれ防止突起を嵌めた状態を示す平面図である。
【図４】本発明の本体のずれ防止突起固定溝に、側面部のずれ防止突起を嵌めた状態を示す平面図である。
【図５】本発明のずれ防止突起受け溝に、ずれ防止突起を嵌めた状態を示すＡ−Ａ断面図である。
【図６】本発明のずれ防止固定溝に、ずれ防止突起を嵌めた状態を示すＢ−Ｂ断面図である。
【図７】本発明の他の実施例を示す本体の側面図である。
【符号の説明】
１　本体
２　側面部
３　ずれ防止突起受け溝
４　ずれ防止突起固定溝
５　ずれ防止突起
６　開き止めゴム受け溝
７　開き止めゴムリング
８　おもり嵌め込み穴
９　おもり
【図１】
2004135645.tif 000003
【図２】
2004135645.tif 000004
【図３】
2004135645.tif 000005
【図４】
2004135645.tif 000006
【図５】
2004135645.tif 000007
【図６】
2004135645.tif 000008
【図７】
2004135645.tif 000009